【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
（ａ）少なくとも１種のハイドロフルオロエーテル化合物を含む溶媒組成物であって、当該化合物が２つの末端フルオロアルキル基及び鎖中に介在する置換又は非置換オキシメチレン基を含み、当該オキシメチレン基が非置換である場合は、当該末端フルオロアルキル基の少なくとも１つが分岐状である及び／又は鎖中で連結された少なくとも１つのヘテロ原子を含むことを条件として、当該フルオロアルキル基のそれぞれが、水素原子を１つだけ含み、そして鎖中で連結された少なくとも１つのへテロ原子を含んでもよい、溶媒組成物と、
（ｂ）少なくとも１種の電解質塩と
を含む、組成物。
【請求項２】
前記化合物が、次の一般式（Ｉ）：
Ｒｆ'−ＣＦ（ＣＦＨ−Ｒｆ''）−ＣＲ１Ｒ２−Ｏ−ＣＦ（Ｒｆ'）−ＣＦＨ−Ｒｆ'''  （Ｉ）
［式中、Ｒｆ'及びＲｆ'''はそれぞれ独立して、フッ素原子、又は直鎖、分岐鎖、環状若しくはそれらの組み合わせであって且つ鎖中で連結された少なくとも１つのへテロ原子を含有してもよいペルフルオロアルキル基であり；各Ｒｆ''は独立して、直鎖、分岐鎖、環状又はそれらの組み合わせであって且つ鎖中で連結された少なくとも１つのへテロ原子を含有してもよいペルフルオロアルキル基であり；Ｒ１及びＲ２が独立して、水素原子、直鎖、分岐鎖、環状若しくはこれらの組み合わせであって且つ鎖中で連結された少なくとも１つのへテロ原子を含有してもよいアルキル基、又は直鎖、分岐鎖、環状若しくはこれらの組み合わせであって且つ鎖中で連結された少なくとも１つのへテロ原子を含有してもよいフルオロアルキル基である。］
で表される部類の１つである、請求項１に記載の組成物。
【請求項３】
前記化合物が、次の一般式（ＩＩ）：
Ｈ（ＣＦ２）ｐ−ＣＲ１Ｒ２−Ｏ−ＣＦ（Ｒｆ'）−ＣＦＨ−Ｒｆ'    （ＩＩ）
［式中、ｐは２〜約１０の整数であり；Ｒ１及びＲ２は独立して、水素原子、直鎖、分岐鎖、環状、若しくはこれらの組み合わせであって且つ鎖中で連結された少なくとも１つのへテロ原子を含有してもよいアルキル基、又は直鎖、分岐鎖、環状若しくはこれらの組み合わせであって且つ鎖中で連結された少なくとも１つのへテロ原子を含有してもよいフルオロアルキル基であり；Ｒｆ'は、フッ素原子、又は直鎖、分岐鎖、環状若しくはそれらの組み合わせであって且つ鎖中で連結された少なくとも１つのへテロ原子を含有してもよいペルフルオロアルキル基である。］
で表される部類の１つである、請求項１に記載の組成物。
【請求項４】
前記化合物が、
ＣＦ３ＣＦＨＣＦ２ＣＨ２ＯＣＦ２ＣＦＨＯＣ３Ｆ７、ＣＦ３ＣＦＨＣＦ２ＣＨ２ＯＣＦ２ＣＦＨＯＣ３Ｆ６ＯＣＦ３、ＣＦ３ＣＦＨＣＦ２ＣＨ２ＯＣＦ２ＣＦＨＯＣＦ３、ＣＦ３ＣＦＨＣＦ２ＣＨ２ＯＣＦ２ＣＦＨＯＣＦ２ＣＦ（ＣＦ３）ＯＣ３Ｆ７、ＣＦ３ＣＦＨＣＦ２ＣＨ２ＯＣＦ２ＣＦＨＯＣ４Ｆ９、ＣＦ３ＣＦＨＣＦ２ＣＨ２ＯＣＦ２ＣＦＨＣ３Ｆ７、ＣＦ３ＣＦ（ＣＨ２ＯＣＦ２ＣＦＨＣＦ３）ＣＦＨＣＦ（ＣＦ３）２、ＣＦ３ＣＦＨＣＦ（ＣＨ２ＯＣＦ２ＣＦＨＣＦ３）ＣＦ（ＣＦ３）２、ＣＦ３ＣＦ（ＣＨ２ＯＣＦ２ＣＦＨＣＦ３）ＣＦＨＣＦ２ＣＦ３、ＣＦ３ＣＦ２ＣＦ（ＣＨ２ＯＣＦ２ＣＦＨＣＦ３）ＣＦＨＣＦ３、ＣＦ３ＣＦＨＣＦ２ＣＨ２ＯＣＦ（ＣＦ３）ＣＦＨＣ２Ｆ５、
ＣＦ３ＣＦＨＣＦ２ＣＨ（ＣＨ３）ＯＣＦ２ＣＦＨＣＦ３、ＣＦ３ＣＦＨＣＦ２ＣＨ（ＣＨ３）ＯＣＦ２ＣＦＨＯＣ３Ｆ７、ＣＦ３ＣＦＨＣＦ２ＣＨ（ＣＨ３）ＯＣＦ２ＣＦＨＯＣ３Ｆ６ＯＣＦ３、ＣＦ３ＣＦＨＣＦ２ＣＨ（ＣＨ３）ＯＣＦ２ＣＦＨＯＣＦ３、ＣＦ３ＣＦＨＣＦ２ＣＨ（ＣＨ３）ＯＣＦ２ＣＦＨＯＣＦ２ＣＦ（ＣＦ３）ＯＣ３Ｆ７、ＣＦ３ＣＦＨＣＦ２ＣＨ（ＣＨ３）ＯＣＦ２ＣＦＨＯＣ４Ｆ９、ＣＦ３ＣＦＨＣＦ２ＣＨ（ＣＨ３）ＯＣＦ２ＣＦＨＣ３Ｆ７、ＣＦ３ＣＦ［ＣＨ（ＣＨ３）ＯＣＦ２ＣＦＨＣＦ３］ＣＦＨＣＦ（ＣＦ３）２、ＣＦ３ＣＦＨ［ＣＨ（ＣＨ３）ＯＣＦ２ＣＦＨＣＦ３］ＣＦＣＦ（ＣＦ３）２、ＣＦ３ＣＦ［ＣＨ（ＣＨ３）ＯＣＦ２ＣＦＨＣＦ３］ＣＦＨＣＦ２ＣＦ３、ＣＦ３ＣＦ２ＣＦ［ＣＨ（ＣＨ３）ＯＣＦ２ＣＦＨＣＦ３］ＣＦＨＣＦ３、ＣＦ３ＣＦＨＣＦ２ＣＨ（ＣＨ３）ＯＣＦ（ＣＦ３）ＣＦＨＣ２Ｆ５、
ＣＦ３ＣＦＨＣＦ２Ｃ（ＣＨ３）２ＯＣＦ２ＣＦＨＣＦ３、ＣＦ３ＣＦＨＣＦ２Ｃ（ＣＨ３）２ＯＣＦ２ＣＦＨＯＣ３Ｆ７、ＣＦ３ＣＦＨＣＦ２Ｃ（ＣＨ３）２ＯＣＦ２ＣＦＨＯＣ３Ｆ６ＯＣＦ３、ＣＦ３ＣＦＨＣＦ２Ｃ（ＣＨ３）２ＯＣＦ２ＣＦＨＯＣＦ３、ＣＦ３ＣＦＨＣＦ２Ｃ（ＣＨ３）２ＯＣＦ２ＣＦＨＯＣＦ２ＣＦ（ＣＦ３）ＯＣ３Ｆ７、ＣＦ３ＣＦＨＣＦ２Ｃ（ＣＨ３）２ＯＣＦ２ＣＦＨＯＣ４Ｆ９、ＣＦ３ＣＦＨＣＦ２Ｃ（ＣＨ３）２ＯＣＦ２ＣＦＨＣ３Ｆ７、ＣＦ３ＣＦ［Ｃ（ＣＨ３）２ＯＣＦ２ＣＦＨＣＦ３］ＣＦＨＣＦ２ＣＦ３、ＣＦ３ＣＦ２ＣＦ［Ｃ（ＣＨ３）２ＯＣＦ２ＣＦＨＣＦ３］ＣＦＨＣＦ３、
Ｃ３Ｆ７ＯＣＦＨＣＦ２ＣＨ２ＯＣＦ２ＣＦＨＣＦ３、Ｃ３Ｆ７ＯＣＦＨＣＦ２ＣＨ２ＯＣＦ２ＣＦＨＯＣ３Ｆ７、Ｃ３Ｆ７ＯＣＦＨＣＦ２ＣＨ２ＯＣＦ２ＣＦＨＯＣ３Ｆ６ＯＣＦ３、Ｃ３Ｆ７ＯＣＦＨＣＦ２ＣＨ２ＯＣＦ２ＣＦＨＯＣＦ３、Ｃ３Ｆ７ＯＣＦＨＣＦ２ＣＨ２ＯＣＦ２ＣＦＨＯＣＦ２ＣＦ（ＣＦ３）ＯＣ３Ｆ７、Ｃ３Ｆ７ＯＣＦＨＣＦ２ＣＨ２ＯＣＦ２ＣＦＨＯＣ４Ｆ９、Ｃ３Ｆ７ＯＣＦＨＣＦ２ＣＨ２ＯＣＦ２ＣＦＨＣ３Ｆ７、ＣＦ３ＣＦ（ＣＨ２ＯＣＦ２ＣＦＨＯＣ３Ｆ７）ＣＦＨＣＦ（ＣＦ３）２、ＣＦ３ＣＦ（ＣＨ２ＯＣＦ２ＣＦＨＯＣ３Ｆ７）ＣＦＨＣＦ２ＣＦ３、ＣＦ３ＣＦ２ＣＦ（ＣＨ２ＯＣＦ２ＣＦＨＯＣ３Ｆ７）ＣＦＨＣＦ３、
Ｃ３Ｆ７ＯＣＦＨＣＦ２ＣＨ（ＣＨ３）ＯＣＦ２ＣＦＨＣＦ３、Ｃ３Ｆ７ＯＣＦＨＣＦ２ＣＨ（ＣＨ３）ＯＣＦ２ＣＦＨＯＣ３Ｆ７、Ｃ３Ｆ７ＯＣＦＨＣＦ２ＣＨ（ＣＨ３）ＯＣＦ２ＣＦＨＯＣ３Ｆ６ＯＣＦ３、Ｃ３Ｆ７ＯＣＦＨＣＦ２ＣＨ（ＣＨ３）ＯＣＦ２ＣＦＨＯＣＦ３、Ｃ３Ｆ７ＯＣＦＨＣＦ２ＣＨ（ＣＨ３）ＯＣＦ２ＣＦＨＯＣＦ２ＣＦ（ＣＦ３）ＯＣ３Ｆ７、Ｃ３Ｆ７ＯＣＦＨＣＦ２ＣＨ（ＣＨ３）ＯＣＦ２ＣＦＨＯＣ４Ｆ９、Ｃ３Ｆ７ＯＣＦＨＣＦ２ＣＨ（ＣＨ３）ＯＣＦ２ＣＦＨＣ３Ｆ７、ＣＦ３ＣＦ（ＣＨ（ＣＨ３）ＯＣＦ２ＣＦＨＯＣ３Ｆ７）ＣＦＨＣＦ（ＣＦ３）２、ＣＦ３ＣＦ（ＣＨ（ＣＨ３）ＯＣＦ２ＣＦＨＯＣ３Ｆ７）ＣＦＨＣＦ２ＣＦ３、ＣＦ３ＣＦ２ＣＦ（ＣＨ（ＣＨ３）ＯＣＦ２ＣＦＨＯＣ３Ｆ７）ＣＦＨＣＦ３、
Ｃ３Ｆ７ＯＣＦＨＣＦ２Ｃ（ＣＨ３）２ＯＣＦ２ＣＦＨＣＦ３、Ｃ３Ｆ７ＯＣＦＨＣＦ２Ｃ（ＣＨ３）２ＯＣＦ２ＣＦＨＯＣ３Ｆ７、Ｃ３Ｆ７ＯＣＦＨＣＦ２Ｃ（ＣＨ３）２ＯＣＦ２ＣＦＨＯＣ３Ｆ６ＯＣＦ３、Ｃ３Ｆ７ＯＣＦＨＣＦ２Ｃ（ＣＨ３）２ＯＣＦ２ＣＦＨＯＣＦ３、Ｃ３Ｆ７ＯＣＦＨＣＦ２Ｃ（ＣＨ３）２ＯＣＦ２ＣＦＨＯＣＦ２ＣＦ（ＣＦ３）ＯＣ３Ｆ７、Ｃ３Ｆ７ＯＣＦＨＣＦ２Ｃ（ＣＨ３）２ＯＣＦ２ＣＦＨＯＣ４Ｆ９、Ｃ３Ｆ７ＯＣＦＨＣＦ２Ｃ（ＣＨ３）２ＯＣＦ２ＣＦＨＣ３Ｆ７、ＣＦ３ＣＦ（Ｃ（ＣＨ３）２ＯＣＦ２ＣＦＨＯＣ３Ｆ７）ＣＦＨＣＦ（ＣＦ３）２、ＣＦ３ＣＦ（Ｃ（ＣＨ３）２ＯＣＦ２ＣＦＨＯＣ３Ｆ７）ＣＦＨＣＦ２ＣＦ３、ＣＦ３ＣＦ２ＣＦ（Ｃ（ＣＨ３）２ＯＣＦ２ＣＦＨＯＣ３Ｆ７）ＣＦＨＣＦ３、
ＣＦ３ＣＦＨＣＦ２ＣＨ（ＯＣＦ２ＣＦＨＣＦ３）ＣＨ２ＯＣＦ２ＣＦＨＣＦ３、
ＣＦ３ＯＣＦ（ＣＦ３）ＣＦ２ＯＣＦＨＣＦ２Ｃ（ＣＨ３）２ＯＣＦ２ＣＦＨＣＦ３、
［ＣＦ３ＣＦＨＣＦ２ＯＣＨ（ＣＦ２ＣＦＨＣＦ３）］２ＣＨ２、
ＣＦ３ＣＦＨＣＦ２ＯＣＨ２ＣＨ２ＣＨ（ＣＦ２ＣＦＨＣＦ３）ＯＣＦ２ＣＦＨＣＦ３、
Ｃ４Ｆ９ＣＨ２ＣＨ（ＣＦ２ＣＦＨＣＦ３）ＯＣＦ２ＣＦＨＣＦ３、
ＣＨ３Ｃ（ＯＣＦ２ＣＦＨＣＦ３）（ＣＦ２ＣＦＨＣＦ３）ＣＨ２ＯＣＦ２ＣＦＨＣＦ３、
ＣＨ３ＣＨ（ＯＣＦ２ＣＦＨＣＦ３）ＣＨ（ＯＣＦ２ＣＦＨＣＦ３）ＣＦ２ＣＦＨＣＦ３、
【化１】
2009508304.tif 000001
【化２】
2009508304.tif 000002
ＣＦ３ＣＦＨＣＦ２ＣＨ（ＣＨ３）ＯＣＦ２ＣＦ２Ｈ、ＨＣ２Ｆ４ＣＨ（ＣＨ３）ＯＣＦ２ＣＦＨＣＦ３及びこれらの混合物から成る群から選択される、請求項１に記載の組成物。
【請求項５】
前記電解質塩が、少なくとも１種のカチオン及び少なくとも１種の弱配位アニオンを含み、必要に応じて前記カチオンが、水素、アルカリ金属、アルカリ土類金属、ＩＩＢ族金属、ＩＩＩＢ族金属、遷移金属、希土類金属及びアンモニウムのカチオンから選択される、請求項１に記載の組成物。
【請求項６】
前記電解質塩が、フッ素含有無機アニオン；ＣｌＯ４−；ＨＳＯ４−；Ｈ２ＰＯ４−；アルカン、アリール及びアルカリールスルホネート；フッ素含有及び非フッ素化テトラアリールボレート；カルボランアニオン；ハロゲン−、アルキル−又はハロアルキル−置換カルボランアニオン；並びにフッ素含有有機アニオンから選択される少なくとも１種のアニオンを含む、請求項１に記載の組成物。
【請求項７】
前記電解質塩が、リチウム塩である、請求項１に記載の組成物。
【請求項８】
（ａ）（ｉ）次の一般式（Ｉ）及び（ＩＩ）：
Ｒｆ'−ＣＦ（ＣＦＨ−Ｒｆ''）−ＣＲ１Ｒ２−Ｏ−ＣＦ（Ｒｆ'）−ＣＦＨ−Ｒｆ'''  （Ｉ）
Ｈ（ＣＦ２）ｐ−ＣＲ１Ｒ２−Ｏ−ＣＦ（Ｒｆ'）−ＣＦＨ−Ｒｆ'  （ＩＩ）
［式中、Ｒｆ'及びＲｆ'''はそれぞれ独立して、フッ素原子、又は直鎖、分岐鎖、環状若しくはそれらの組み合わせのペルフルオロアルキル基であり；各Ｒｆ''は独立して、直鎖、分岐鎖、環状又はそれらの組み合わせであって且つ鎖中で連結された少なくとも１つのへテロ原子を含有してもよいペルフルオロアルキル基であり；ｐは２〜約１０の整数であり；Ｒ１は、水素又は約３個までの炭素原子を有するアルキル基であり；Ｒ２は、約３個までの炭素原子を有するアルキル基である。］の１つで表される少なくとも１種のハイドロフルオロエーテル化合物、及び
（ｉｉ）前記少なくとも１種のハイドロフルオロエーテル化合物とは異なる、少なくとも１種の有機又はフッ素含有電解質溶媒
を含む、溶媒組成物と、
（ｂ）フッ素含有アニオンを含む、少なくとも１種のリチウム電解質塩と
を含む、組成物。
【請求項９】
正極、負極及び請求項１に記載の組成物を含む、電池。
【請求項１０】
前記カソードが、ＬｉａＮｉｂＣｏｃＭｎｄＯ２であり、式中、０．８≦ａ≦１．２、０≦ｂ≦１、０≦ｃ≦１、及び０≦ｄ≦１であり、必要に応じて前記電池が、１２ＣｍＡまでの放電電流にて、５０％より大きい放電容量を有する、請求項９に記載の電池。